【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
リチウムと、１または複数の遷移金属とを少なくとも含む複合酸化物粒子と、
上記複合酸化物粒子の少なくとも一部に設けられる被覆層と、を備え、
上記被覆層は、上記複合酸化物粒子を構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
上記被覆層において、上記元素Ｍと上記元素Ｘとは異なる分布を呈する正極活物質。
【請求項２】
上記元素Ｍは、上記元素Ｘに比して、上記複合酸化物粒子表面により均一に分布する
請求項１記載の正極活物質。
【請求項３】
上記被覆層は、上記元素Ｍを第１の元素として含み、第２の元素として上記複合酸化物粒子を構成する主要遷移金属とは異なり、２族〜１３族から選ばれる少なくとも１種の元素Ｍ２をさらに含み、
上記元素Ｍと上記元素Ｍ２とは異なり、
上記被覆層において、上記元素Ｍ２が、上記元素Ｍおよび上記Ｘとは異なる分布を呈する
請求項１記載の正極活物質。
【請求項４】
上記元素Ｍ２は、マグネシウム（Ｍｇ）、亜鉛（Ｚｎ）および鉄（Ｆｅ）のうちの少なくとも１種である
請求項３記載の正極活物質。
【請求項５】
上記元素Ｘの少なくとも一部は、Ｍ’aＸbＯcで表される化合物の形態で存在する
請求項１記載の正極活物質。
【請求項６】
上記元素Ｍと、上記Ｍ’aＸbＯcで表される化合物を構成する元素Ｍ’とは、異なる元素である
請求項５記載の正極活物質。
【請求項７】
上記Ｍ’aＸbＯcで表される化合物が結晶性である
請求項５記載の正極活物質。
【請求項８】
上記Ｍ’aＸbＯcで表される化合物が、少なくともＬｉ3ＰＯ4を含む
請求項５記載の正極活物質。
【請求項９】
上記複合酸化物粒子が、層状岩塩構造を有する
請求項１記載の正極活物質。
【請求項１０】
上記複合酸化物粒子を実質的に構成する上記主要遷移元素は、コバルト（Ｃｏ）である
請求項１記載の正極活物質。
【請求項１１】
上記複合酸化物粒子および上記被覆層を備える正極活物質において、該正極活物質全体に含まれる上記元素Ｍと上記元素Ｘとの元素組成は、０＜（Ｍ＋Ｘ）／（Ｃｏ＋Ｍ＋Ｘ）＜０．２５の関係を満たす
請求項１０記載の正極活物質。
【請求項１２】
上記複合酸化物粒子および／または上記被覆層は、少なくともコバルト（Ｃｏ）を含み、
上記複合酸化物粒子および上記被覆層を備える正極活物質表面の元素組成が、Ｃｏ／（Ｃｏ＋Ｍ＋Ｘ）＜０．７である
請求項１記載の正極活物質。
【請求項１３】
上記被覆層に含まれる上記元素Ｍとして、少なくともマンガン（Ｍｎ）を含み、
上記複合酸化物粒子および上記被覆層を備える正極活物質において、複合酸化物粒子に含まれるマンガン（Ｍｎ）と、上記被覆層に含まれる上記元素Ｍとの元素組成は、０＜（Ｍｎ＋Ｍ）／（Ｃｏ＋Ｍｎ＋Ｍ）＜０．１の関係を満たす
請求項１０記載の正極活物質。
【請求項１４】
導電性基材と、
上記導電性基材上に設けられ、少なくとも正極活物質を含む正極活物質層と、を備え、
上記正極活物質は、
リチウムと、１または複数の遷移金属とを少なくとも含む複合酸化物粒子と、
上記複合酸化物粒子の少なくとも一部に設けられる被覆層と、を備え、
上記被覆層は、上記複合酸化物粒子を実質的に構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
上記被覆層において、上記元素Ｍと上記元素Ｘとは異なる分布を呈する正極。
【請求項１５】
正極活物質を有する正極と、負極と、セパレータと、電解質と、を備え、
上記正極活物質は、
リチウムと、１または複数の遷移金属とを少なくとも含む複合酸化物粒子と、
上記複合酸化物粒子の少なくとも一部に設けられる被覆層と、を備え、
上記被覆層は、上記複合酸化物粒子を実質的に構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
上記被覆層において、上記元素Ｍと上記元素Ｘとは異なる分布を呈する非水電解質二次電池。
【請求項１６】
上記正極活物質の表面および／または上記正極の表面に硫黄（Ｓ）が存在する請求項１５記載の非水電解質二次電池。
【請求項１７】
前記硫黄（Ｓ）の２ｐスペクトルが１６５ｅＶ以上１７０ｅＶである請求項１６記載の非水電解質二次電池。
【請求項１８】
上記セパレータは、ポリエチレン、ポリプロピレン、それらの共重合体、あるいはこれらを組み合わせたポレオレフィンから選ばれる少なくとも１種を含む微多孔膜によって形成される基材層と、
上記基材層の少なくとも一方の主面上に設けられる樹脂層とを有する
請求項１５記載の非水電解質二次電池。
【請求項１９】
上記樹脂層の少なくとも一部は、ポリフッ化ビニリデン（ＰＶｄＦ）、ヘキサフルオロプロピレン（ＨＦＰ）、およびポリテトラフルオロエチレン（ＰＴＦＥ）から選ばれる少なくとも１種を含む
請求項１８記載の非水電解質二次電池。
【請求項２０】
上限充電電圧が４．２５Ｖ以上４．８０Ｖ以下で、下限放電電圧が２．００Ｖ以上３．３０Ｖ以下である
請求項１５記載の非水電解質二次電池。
【手続補正２】
【補正対象書類名】明細書
【補正対象項目名】００３９
【補正方法】変更
【補正の内容】
【００３９】
上述の課題を解決するために、第１の発明は、
リチウムと、１または複数の遷移金属とを少なくとも含む複合酸化物粒子と、
複合酸化物粒子の少なくとも一部に設けられる被覆層と、を備え、
被覆層は、複合酸化物粒子を実質的に構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
被覆層において、元素Ｍと元素Ｘとは異なる分布を呈する正極活物質である。
【手続補正３】
【補正対象書類名】明細書
【補正対象項目名】００４０
【補正方法】変更
【補正の内容】
【００４０】
第２の発明は、
導電性基材と、
導電性基材上に設けられ、少なくとも正極活物質を含む正極活物質層と、を備え、
正極活物質は、
リチウムと、１または複数の遷移金属とを少なくとも含む複合酸化物粒子と、
複合酸化物粒子の少なくとも一部に設けられる被覆層と、を備え、
被覆層は、複合酸化物粒子を実質的に構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
被覆層において、元素Ｍと元素Ｘとは異なる分布を呈する正極である。
【手続補正４】
【補正対象書類名】明細書
【補正対象項目名】００４１
【補正方法】変更
【補正の内容】
【００４１】
第３の発明は、
正極活物質を有する正極と、負極と、セパレータと、電解質と、を備え、
正極活物質は、
リチウムと、１または複数の遷移金属とを少なくとも含む複合酸化物粒子と、
複合酸化物粒子の少なくとも一部に設けられる被覆層と、を備え、
被覆層は、複合酸化物粒子を実質的に構成する主要遷移金属とは異なり、２族〜１３族から選ばれる少なくとも１種の元素Ｍと、
リン（Ｐ）、ケイ素（Ｓｉ）、およびゲルマニウム（Ｇｅ）から選ばれる少なくとも１つの元素Ｘとを含み、
被覆層において、元素Ｍと元素Ｘとは異なる分布を呈する非水電解質二次電池である。